(57)【特許請求の範囲】
【請求項１】
フットボール用シューズのアウトソール構造であって、
アウトソールを、着用者の足指に対応する指部と、足指の付根部分に対応する指付根部と、足裏の踏付面、中足部分、土踏まずおよび踵部分にそれぞれ対応する踏付部、中足部、土踏まず部および踵部との６つの領域から構成するとともに、これらの領域の剛性に関して、踵部、踏付部、指部および中足部を相対的に高剛性にし、土踏まず部および指付根部を相対的に低剛性にした、
ことを特徴とするフットボール用シューズのアウトソール構造。
【請求項２】
フットボール用シューズのアウトソール構造であって、
アウトソールを、着用者の足指に対応する指部と、足指の付根部分に対応する指付根部と、足裏の踏付面、中足部分、土踏まずおよび踵部分にそれぞれ対応する踏付部、中足部、土踏まず部および踵部との６つの領域から構成するとともに、これらの領域の剛性が
（踵部）＞（踏付部）＞（指部）＞（中足部）＞（土踏まず部）＞（指付根部）の順になるように前記各領域を構成した、
ことを特徴とするフットボール用シューズのアウトソール構造。
【請求項３】
フットボール用シューズのアウトソール構造であって、
アウトソールを、着用者の足指に対応する指部と、足指の第１指の付根部分に対応する第１指付根部と、第２指ないし第５指の付根部分に対応する第２〜第５指付根部と、足裏の踏付面、中足部分、土踏まずおよび踵部分にそれぞれ対応する踏付部、中足部、土踏まず部および踵部との７つの領域から構成するとともに、これらの領域の剛性に関して、踵部、踏付部、指部、第１指付根部および中足部を相対的に高剛性にし、土踏まず部および第２〜第５指付根部を相対的に低剛性にした、
ことを特徴とするフットボール用シューズのアウトソール構造。
【請求項４】
フットボール用シューズのアウトソール構造であって、
アウトソールを、着用者の足指に対応する指部と、足指の第１指の付根部分に対応する第１指付根部と、第２指ないし第５指の付根部分に対応する第２〜第５指付根部と、足裏の踏付面、中足部分、土踏まずおよび踵部分にそれぞれ対応する踏付部、中足部、土踏まず部および踵部との７つの領域から構成するとともに、これらの領域の剛性が
（踵部）＞（踏付部）＞（指部）＞（第１指付根部）＞（中足部）＞（土踏まず部）＞（第２〜第５指付根部）
の順になるように前記各領域を構成した、
ことを特徴とするフットボール用シューズのアウトソール構造。
【請求項５】
請求項１ないし４のいずれかにおいて、
前記指部および指付根部間の第１の境界線が、第４指中節骨の骨頭付近から第３指中節骨の骨底付近を通って第２指中節骨の骨頭付近まで延びさらに第１指基節骨の骨頭付近まで延びており、前記第１の境界線がシューズ前方側に向かって概略山形形状に形成されており、
前記指付根部および踏付部間の第２の境界線が、第５指中節骨の骨底付近から第４指基節骨の骨頭付近を通って第３指基節骨の略中央部分まで延びさらに第２指基節骨の略中央部分から第１指基節骨の略中央部分まで延びており、前記第２の境界線がシューズ前方側に向かって凸状に湾曲して形成されており、
前記踏付部と前記中足部および前記土踏まず部との間の第３の境界線が、第５指中足骨の骨底付近から第４指中足骨の骨底付近を通ってシューズ前方側に延びるとともに、第２指中足骨の略中央部分を通って第１指中足骨の略中央部分まで延びており、
前記中足部および前記土踏まず部と前記踵部との間の第４の境界線が、概ね横足根関節に沿って延びており、
前記中足部および土踏まず部間の第５の境界線が、外側楔状骨を通ってシューズ長手方向に延びている、
ことを特徴とするフットボール用シューズのアウトソール構造。
【請求項６】
請求項１ないし４のいずれかにおいて
前記各領域の剛性を、前記アウトソールの厚みの大小によって変化させるようにした、
ことを特徴とするフットボール用シューズのアウトソール構造。
【請求項７】
請求項１ないし４のいずれかにおいて
前記各領域のうち剛性の高い領域には、補強材が埋設されている、
ことを特徴とするフットボール用シューズのアウトソール構造。
【請求項８】
請求項１ないし４のいずれかにおいて
前記各領域のうち剛性の高い領域には、リブ構造が設けられている、
ことを特徴とするフットボール用シューズのアウトソール構造。
【請求項９】
請求項１ないし４のいずれにおいて
前記中足部には、シューズの概略前後方向に延びるリブが設けられている、
ことを特徴とするフットボール用シューズのアウトソール構造。
【請求項１０】
請求項１ないし４のいずれかにおいて
前記各領域のうち剛性の低い領域には、蜂の巣状のハニカム構造を有している、
ことを特徴とするフットボール用シューズのアウトソール構造。
【請求項１１】
請求項１または２において、
前記踵部、踏付部、指部および中足部の厚みを前記土踏まず部および指付根部の厚みよりも厚くするとともに、前記土踏まず部および指付根部に蜂の巣状のハニカム構造を設けた、
ことを特徴とするフットボール用シューズのアウトソール構造。
【請求項１２】
請求項３または４において、
前記踵部、踏付部、指部、第１指付根部および中足部の厚みを前記土踏まず部および第２〜第５指付根部の厚みよりも厚くするとともに、前記土踏まず部および第２〜第５指付根部に蜂の巣状のハニカム構造を設けた、
ことを特徴とするフットボール用シューズのアウトソール構造。
【請求項１３】
請求項１ないし４のいずれかにおいて、
シューズの概略前後方向に延びる複数の縦溝を前記踏付部に設けた、
ことを特徴とするフットボール用シューズのアウトソール構造。
【請求項１４】
請求項１３において、
前記縦溝が、アウトソールのソール面の接地開始時から全面接地時に至るまでの着用者の足への体重負荷経路に基づいて設定されている、
ことを特徴とするフットボール用シューズのアウトソール構造。
【請求項１５】
請求項１ないし４のいずれかにおいて、
シューズの概略幅方向に延びる複数の横溝を前記踏付部において着用者の足の第３〜第５指中足骨領域に対応する位置に設けた、
ことを特徴とするフットボール用シューズのアウトソール構造。
【請求項１６】
請求項１５において、
前記横溝が、アウトソールのソール面が全面接地時から地面から離れる直前までの着用者の足への体重負荷経路に基づいて設定されている、
ことを特徴とするフットボール用シューズのアウトソール構造。
【請求項１７】
請求項１ないし４のいずれかにおいて、
前記踵部には、シューズ前後方向に帯状に延びる複数の波形プレートを互いに並設しかつ連結してなる緩衝構造体が設けられている、
ことを特徴とするフットボール用シューズのアウトソール構造。
【請求項１８】
請求項１７において、
前記各波形プレートの波形状の位相が隣り合う波形プレートの波形状の位相に対して１／２波長だけずれている、
ことを特徴とするフットボール用シューズのアウトソール構造。
【請求項１９】
請求項１７において、
前記踵部の周縁部には、巻上げ部が設けられている、
ことを特徴とするフットボール用シューズのアウトソール構造。
【請求項２０】
請求項１７において、
前記踵部のソール面には、着用者の足の足圧分布曲線に基づいて設定された複数のリブが設けられている、
ことを特徴とするフットボール用シューズのアウトソール構造。
【請求項２１】
請求項１７において、
前記踵部のソール面には、踵部前側の内外甲側にそれぞれ配置された第１，第２のスタッドと、踵部後側の内外甲側にそれぞれ配置された第３，第４のスタッドとが設けられるとともに、前記第１および第２のスタッド間には、シューズ幅方向に延びかつ前記第１および第２のスタッドを連結する前側リブが設けられ、前記第３および第４のスタッド間には、シューズ幅方向に延びかつ前記第３および第４のスタッドを連結する後側リブが設けられている、
ことを特徴とするフットボール用シューズのアウトソール構造。
【請求項２２】
フットボール用シューズのアウトソール構造であって、
アウトソールと、
前記アウトソールのソール面に設けられた複数のスタッドとを備え、
前記スタッドが、着用者の足の第１指末節骨の中央付近に対応する位置に配置された第１のスタッドと、第１指中足趾節関節付近に対応する位置に配置された第２のスタッドと、第４指中足骨の骨頭部付近に対応する位置に配置された第３のスタッドとを有している、
ことを特徴とするフットボール用シューズのアウトソール構造。
【請求項２３】
フットボール用シューズのアウトソール構造であって、
アウトソールと、
前記アウトソールのソール面に設けられた複数のスタッドとを備え、
前記スタッドが、着用者の足の第１指末節骨の中央付近に対応する位置に配置された第１のスタッドと、第１指中足趾節関節付近に対応する位置に配置された第２のスタッドと、第４指中足骨の骨頭部付近に対応する位置に配置された第３のスタッドと、第３指末節骨に対応する位置に配置された第４のスタッドとを有している、
ことを特徴とするフットボール用シューズのアウトソール構造。
【請求項２４】
フットボール用シューズのアウトソール構造であって、
アウトソールと、
前記アウトソールのソール面に設けられた複数のスタッドとを備え、
前記スタッドが、着用者の足の第１指末節骨の中央付近に対応する位置に配置された第１のスタッドと、第１指中足趾節関節付近に対応する位置に配置された第２のスタッドと、第４指中足骨の骨頭部付近に対応する位置に配置された第３のスタッドと、第３指末節骨に対応する位置に配置された第４のスタッドと、第２指および第３指中足骨の各骨頭付近に対応する位置に配置された第５のスタッドとを有している、
ことを特徴とするフットボール用シューズのアウトソール構造。
【請求項２５】
請求項２２ないし２４のいずれかにおいて、
前記スタッドが、概略直線状に延びるまたはわずかに凹状に湾曲する受圧面を有するとともに、前記受圧面がシューズ前後方向の中心線に対してなす角度が、時計回りを正にとるとき、前記第１のスタッドについては０〜６０°の範囲にあって前記受圧面がシューズ後方側に対向しており、前記第２のスタッドについては０〜−４５°の範囲にあって前記受圧面がシューズ前方側に対向しており、前記第３のスタッドについては０〜−４５°の範囲にあって前記受圧面がシューズ後方側に対向しており、前記第４のスタッドについては０〜−６０°の範囲にあって前記受圧面がシューズ後方側に対向しており、前記第５のスタッドについては−６０〜−１２０°の範囲にあって前記受圧面がシューズ後方側に配置されている、
ことを特徴とするフットボール用シューズのアウトソール構造。
【請求項２６】
請求項２５において、
前記スタッドが、概略三角形状、矩形状またはブレード状の横断面を有している、
ことを特徴とするフットボール用シューズのアウトソール構造。
【請求項２７】
フットボール用シューズのアウトソール構造であって、
アウトソールと、
前記アウトソールのソール面に設けられた複数のスタッドとを備え、
前記スタッドが、着用者の足の第１指末節骨の中央付近に対応する位置に配置された第１のスタッドと、第１指中足趾節関節付近に対応する位置に配置された第２のスタッドと、第４指中足骨の骨頭部付近に対応する位置に配置された第３のスタッドと、第３指末節骨に対応する位置に配置された第４のスタッドと、第２指および第３指中足骨の各骨頭付近に対応する位置に配置された第５のスタッドとから構成されるとともに、
前記スタッドが、ブレード形状または概略楕円形状の一部を切断した形状の横断面を有しており、その切断形状面がシューズの前側または後ろ側に配向されている、
ことを特徴とするフットボール用シューズのアウトソール構造。
【請求項２８】
請求項２２ないし２４のいずれかにおいて、
前記スタッドが、概略楕円状の横断面を有するとともに、その長軸がシューズ前後方向の中心線に対してなす角度が、時計回りを正にとるとき、前記第１のスタッドについては０〜６０°の範囲にあり、前記第２のスタッドについては０〜−４５°の範囲にあり、前記第３のスタッドについては０〜−４５°の範囲にあり、前記第４のスタッドについては０〜−６０°の範囲にあり、前記第５のスタッドについては−６０〜−１２０°の範囲にある、
ことを特徴とするフットボール用シューズのアウトソール構造。
【請求項２９】
請求項２２ないし２４のいずれかにおいて、
着用者の足の第５指中足骨に対応する位置に配置された第１のサブスタッドと、
第４指基節骨および第５指基節骨の中間付近に対応する位置に配置された第２のサブスタッドとがさらに設けられている、
ことを特徴とするフットボール用シューズのアウトソール構造。
【請求項３０】
請求項２２ないし２４のいずれかにおいて、
着用者の足の第５指中足骨に対応する位置に配置された第１のサブスタッドと、
第４指基節骨および第５指基節骨の中間付近に対応する位置に配置された第２のサブスタッドと、
第４指末節骨に対応する位置に配置された第３のサブスタッドとがさらに設けられている、
ことを特徴とするフットボール用シューズのアウトソール構造。
【請求項３１】
請求項２２ないし２４のいずれかにおいて、
着用者の足の第５指中足骨に対応する位置に配置された第１のサブスタッドと、
第４指基節骨および第５指基節骨の中間付近に対応する位置に配置された第２のサブスタッドと、
第２指および第３指基節骨の中間付近に対応する位置に配置された第４のサブスタッドとがさらに設けられている、
ことを特徴とするフットボール用シューズのアウトソール構造。
【請求項３２】
請求項２２ないし２４において、
着用者の足の第５指中足骨に対応する位置に配置された第１のサブスタッドと、
第４指基節骨および第５指基節骨の中間付近に対応する位置に配置された第２のサブスタッドと、
第４指末節骨に対応する位置に配置された第３のサブスタッドと、
第２指および第３指基節骨の中間付近に対応する位置に配置された第４のサブスタッドとがさらに設けられている、
ことを特徴とするフットボール用シューズのアウトソール構造。
【請求項３３】
請求項２９ないし３２のいずれかにおいて、
前記サブスタッドが、概略直線状に延びるまたはわずかに凹状に湾曲する受圧面を有するとともに、前記受圧面がシューズ前後方向の中心線に対してなす角度が、時計回りを正にとるとき、前記第１のサブスタッドについては０〜４５°の範囲にあって前記受圧面がシューズ後方側に配置されており、前記第２のサブスタッドについては−３０〜−９０°の範囲にあって前記受圧面がシューズ後方側に配置されており、前記第３のサブスタッドについては−１０〜−４５°の範囲にあって前記受圧面がシューズ後方側に配置されており、前記第４のサブスタッドについては−６０〜−１２０°の範囲にあって前記受圧面がシューズ後方側に配置されている、
ことを特徴とするフットボール用シューズのアウトソール構造。
【請求項３４】
請求項３３において、
前記サブスタッドが、概略三角形状、矩形状またはブレード状の横断面を有している、
ことを特徴とするフットボール用シューズのアウトソール構造。
【請求項３５】
請求項２９ないし３２のいずれかにおいて、
前記サブスタッドが、概略楕円状の横断面を有するとともに、その長軸がシューズ前後方向の中心線に対してなす角度が、時計回りを正にとるとき、前記第１のサブスタッドについては０〜４５°の範囲にあり、前記第２のサブスタッドについては−３０〜−９０°の範囲にあり、前記第３のサブスタッドについては−１０〜−４５°の範囲にあり、前記第４のサブスタッドについては−６０〜−１２０°の範囲にある、
ことを特徴とするフットボール用シューズのアウトソール構造。
【請求項３６】
フットボール用シューズのアウトソール構造であって、
アウトソールと、
前記アウトソールの前足部および踵部のソール面に設けられた複数のスタッドとを備え、
前記踵部のソール面に設けられたスタッドが、前記踵部の内甲側に配置された第１のスタッドと、前記踵部の外甲側に配置された第２のスタッドから構成されており、
前記第１および第２のスタッドを結ぶ線が踵部中心線に対して直交しておらず、前記第１のスタッドが前記踵部の前側に配置されている、または前記第２のスタッドが前記踵部の後ろ側に配置されている、
ことを特徴とするフットボール用シューズのアウトソール構造。
【発明の詳細な説明】
【０００１】
【発明の属する技術分野】
本発明は、フットボール用シューズのアウトソール構造に関し、詳細には、その構造の改良に関する。
【０００２】
【従来の技術およびその課題】
サッカー、ラグビー、アメリカンフットボールなどのフットボール競技においては、ダッシュ時、ストップ時、各種キック時およびフェイント時などにおいて、シューズのアウトソールは、種々の圧力とともに屈曲作用を受ける。
【０００３】
ところが、従来より使用されてきたフットボール用シューズのアウトソールは、その各部の剛性や強度が均等に構成されており、このため、競技時に要求されるアウトソールとしての剛性・強度と屈曲性とを十分に両立させることができなかった。
【０００４】
また、従来のフットボール用シューズに用いられている防滑用のスタッドは、図３６のサッカーシューズの例に示すように、ソール面に設けられた各スタッド１００が、いずれもほぼ同一の大きさに形成されており、しかも、ソール面内にほぼ均一にムラなく配置されている。すなわち、従来のスタッドの配置は、各スタッドを見かけ上バランスよく配置しているだけである。
【０００５】
ところが、実際の競技の際には、各種運動時に様々な足の動きが生じており、このような複雑な足の動きにマッチしたスタッド構造を実現するためには、スタッドの配置、形状および配向などを考慮した設計をする必要がある。
【０００６】
さらに、従来のフットボール用シューズのスタッドは、図３６に示すように、円錐台形状または円柱形状のものが大部分であって、これらのスタッド１００は、底面積が比較的大きいため、グラウンドに刺さりにくく、いわゆるグラウンドに対する食い付きが悪いため、フットボール競技に要求される各種運動の際に接地面との間で滑りが発生する場合があった。
【０００７】
本発明は、このような従来の実情に鑑みてなされたもので、競技時に要求されるアウトソールとしての剛性・強度と屈曲性とを両立させることができるフットボール用シューズを提供することを第１の目的とする。また、本発明の第２の目的は、足の動きに適合したスタッド構造を有し、かつ競技の際の各種運動時に接地面との間で滑りが発生するのを防止できるフットボール用シューズのアウトソール構造を提供することにある。
【０００８】
【課題を解決するための手段】
そこで、本件出願に係る発明者らは、上記第１の目的を達成するため、競技中にサッカー選手の軸足に実際に作用する足圧の分布状態を測定した。この測定結果を図３および図４に示す。図３はインステップキックの際の足圧分布図であり、図４はフェイント時の足圧分布図である。ここでは、軸足として左足を例にとっている。各図とも足裏側から見た足圧分布を示しており、図中、Ｍは内甲側を、Ｌは外甲側をそれぞれ示しており、また、内側の等圧線ほど圧力が高いことを示している。なお、各図においては、説明の便宜上、シューズのアウトソールの外形線を実線で示すとともに、アウトソールを、踵部Ａ，踏付部Ｂ，指部Ｃ，中足部Ｄ，土踏まず部Ｅ，指付根部Ｆの６つの領域Ａ〜Ｆに区画している（図２参照）。
【０００９】
これらの図から、インステップキック時またはフェイント時のような動作時には、足の踵部分、踏付面、指部および中足部分の足圧が相対的に高く、これに対して、足の土踏まずおよび指付根部分の足圧が相対的に低いことが分かった。さらに、インステップキック時には、第１指部のみならず、第１指付根部分の足圧も高くなっていることが分かった。
【００１０】
本発明は、このように、実際の足圧分布の測定結果を考察することによりなされたものであって、請求項１の発明では、フットボール用シューズのアウトソールを、着用者の足指に対応する指部と、足指の付根部分に対応する指付根部と、足裏の踏付面、中足部分、土踏まずおよび踵部分にそれぞれ対応する踏付部、中足部、土踏まず部および踵部との６つの領域から構成するとともに、これらの領域の剛性に関して、踵部、踏付部、指部および中足部を相対的に高剛性にして、動作時に相対的に足圧が高くなるこれらの部分を曲がりにくくしている。また、土踏まず部および指付根部を相対的に低剛性にして、動作時に相対的に足圧が低くなるこれらの部分を曲がりやすくしており、これにより、動作時に屈曲性が要求されるこれらの部分の屈曲性を向上させている。
【００１１】
請求項２の発明では、上記６つの領域の剛性に関して、（踵部）＞（踏付部）＞（指部）＞（中足部）＞（土踏まず部）＞（指付根部）の順になるように各領域を構成している。踵部は、図３および図４から分かるように、最も大きな足圧が作用する部位であり、このような足圧分布に基づいて踵部の剛性を最大にしている。また指付根部は、ダッシュ時などの他の動作時も含めて最も屈曲性が要求される部位なので、このように指付根部の剛性を最小にすることで、他の部分に比べて最大の屈曲性が得られるようにしている。
【００１２】
また、請求項３の発明は、主に図３のインステップキックの際の足圧分布に基づいており、アウトソールの指付根部について、着用者の足指の第１指の付根部分に対応する第１指付根部と、第２指ないし第５指の付根部分に対応する第２〜第５指付根部とに区画しており、各領域の剛性に関して、踵部、踏付部、指部、第１指付根部および中足部を相対的に高剛性にし、土踏まず部および第２〜第５指付根部を相対的に低剛性にしている。この場合には、第１指付根部をも高剛性にすることで、インステップキックの際の実際の足圧分布にしたがった剛性分布にすることができる。
【００１３】
請求項４の発明では、各領域の剛性に関して、（踵部）＞（踏付部）＞（指部）＞（第１指付根部）＞（中足部）＞（土踏まず部）＞（第２〜第５指付根部）の順になるように各領域を構成している。この場合には、図３に示すインステップキックの際の実際の足圧分布にしたがって、第１指付根部の剛性を中足部の剛性よりも高くしている。
【００１４】
請求項５の発明では、指部および指付根部間の第１の境界線が、第４指中節骨の骨頭付近から第３指中節骨の骨底付近を通って第２指中節骨の骨頭付近まで延びさらに第１指基節骨の骨頭付近まで延びており、該第１の境界線がシューズ前方側に向かって概略山形形状に形成されている。また、指付根部および踏付部間の第２の境界線が、第５指中節骨の骨底付近から第４指基節骨の骨頭付近を通って第３指基節骨の略中央部分まで延びさらに第２指基節骨の略中央部分から第１指基節骨の略中央部分まで延びており、該第２の境界線がシューズ前方側に向かって凸状に湾曲して形成されている。さらに、踏付部と中足部および土踏まず部との間の第３の境界線が、第５指中足骨の骨底付近から第４指中足骨の骨底付近を通ってシューズ前方側に延びるとともに、第２指中足骨の略中央部分を通って第１指中足骨の略中央部分まで延びている。また、中足部および土踏まず部と踵部との間の第４の境界線が、概ね横足根関節に沿って延びており、さらに、中足部および土踏まず部間の第５の境界線が、外側楔状骨を通ってシューズ長手方向に沿って延びている。このように、第１ないし第５の境界線を設定することにより、アウトソールとして競技時に要求される剛性・強度および屈曲性を所望の領域に確保できるようになる。
【００１５】
請求項６の発明では、各領域の剛性をアウトソールの厚みの大小によって変化させている。アウトソールの厚みを大きくするほど、アウトソールの曲げ剛性を大きくでき、これにより、曲がりにくくすることができる。これとは逆に、アウトソールの厚みを薄くするほど、アウトソールの曲げ剛性が小さくなり、曲がりやすくなる。
【００１６】
請求項７の発明では、各領域のうち剛性の高い領域に、たとえばカーボンファイバー等の補強材を埋設しており、これにより、強度を向上させている。また、請求項８の発明では、リブ構造を設けることにより、剛性を高くしている。さらに、請求項９の発明では、中足部に、シューズの概略前後方向に延びる一本または複数本のリブを設けることにより、中足部の剛性を高くしている。
【００１７】
請求項１０の発明では、各領域のうち剛性の低い領域に、蜂の巣状のハニカム構造を設けている。このハニカム構造による補強作用によって、低剛性領域が補強されるようになっている。
【００１８】
請求項１１の発明では、踵部、踏付部、指部および中足部の厚みを土踏まず部および指付根部の厚みよりも厚くするとともに、土踏まず部および指付根部に蜂の巣状のハニカム構造を設けている。
【００１９】
請求項１２の発明では、踵部、踏付部、指部、第１指付根部および中足部の厚みを土踏まず部および第２指〜第５指付根部の厚みよりも厚くするとともに、土踏まず部および第２〜第５指付根部に蜂の巣状のハニカム構造を設けている。
【００２０】
請求項１３の発明では、シューズの概略前後方向に延びる複数の縦溝を踏付部に設けている。これらの縦溝により、踏付部における幅方向の屈曲性を向上できる。
【００２１】
請求項１４の発明では、踏付部に設けられる縦溝が、アウトソールのソール面の接地開始時から全面接地時に至るまでの着用者の足への体重負荷経路に基づいて設定されており、これにより、足の実際の体重負荷経路にしたがって踏付部を幅方向に屈曲させることができる。このような踏付部の屈曲により、競技時に体重負荷経路にしたがったスムーズな足の動きを実現でき、その結果、接地面に対して効果的に力を伝達できる。
【００２２】
請求項１５の発明では、シューズの概略幅方向に延びる複数の横溝を踏付部において着用者の足の第３〜第５指中足骨領域に対応する位置に設けている。これらの横溝により、踏付部の第３〜第５指中足骨領域に対応する位置における前後方向の屈曲性を向上できる。
【００２３】
請求項１６の発明では、踏付部に設けられる横溝が、アウトソールのソール面が全面接地時の状態から地面から離れる直前までの着用者の足への体重負荷経路に基づいて設定されており、これにより、足の実際の体重負荷経路にしたがって踏付部を前後方向に屈曲させることができる。このような踏付部の屈曲により、競技時に体重負荷経路にしたがったよりスムーズな足の動きを実現でき、接地面に対して一層効果的に力を伝達できる。
【００２４】
請求項１７の発明によれば、踵部には、シューズ前後方向に帯状に延びる複数の波形プレートを互いに並設しかつ連結してなる緩衝構造体が設けられている。この場合には、競技時において着地の際にシューズの踵部に衝撃荷重が作用したとき、各波形プレートの波形状の山の部分が下方に沈み込むように変形するとともに、波形状の谷の部分が上方に持ち上がるように変形することにより、衝撃荷重を吸収できる。また、隣り合う各波形プレートの連結部分が各波形状部分の変形を抑制するので、各波形状部分の変形と相俟って衝撃荷重をより効果的に吸収できる。
【００２５】
請求項１８の発明では、各波形プレートの波形状の位相が、隣り合う波形プレートの波形状の位相に対して１／２波長だけずれている。
【００２６】
請求項１９の発明では、踵部の周縁部に巻上げ部が設けられており、該巻上げ部により、アッパー部材との接着しろが確保されている。これにより、前記波形プレートをより大きな面積で使用することが可能になる。
【００２７】
請求項２０の発明では、踵部のソール面に、着用者の足の足圧分布曲線に基づいて設定された複数のリブが設けられている。これにより、足の足圧分布にしたがって、踵部の接地状態を制御できる。
【００２８】
請求項２１の発明では、踵部のソール面には、踵部前側の内外甲側にそれぞれ配置された第１，第２のスタッドと、踵部後側の内外甲側にそれぞれ配置された第３，第４のスタッドとが設けられるとともに、第１および第２のスタッド間には、シューズ幅方向に延びかつ第１および第２のスタッドを連結する前側リブが設けられ、第３および第４のスタッド間には、シューズ幅方向に延びかつ第３および第４のスタッドを連結する後側リブが設けられている。これらのリブにより、踵部の剛性を向上できる。
【００２９】
次に、本件出願に係る発明者らは、上記第２の目的を達成するため、競技中にサッカー選手の軸足が接地面から実際に受ける力の方向を測定した。この測定結果を図１６ないし図１８に示す。図１６はインステップキックの際に受ける力の方向を、図１７はフェイント時に受ける力の方向を、図１８はインフロントキックの際に受ける力の方向をそれぞれ示している。各図とも、ソール面側から見た状態を示している。
【００３０】
第２の発明は、図３および図４の足圧分布曲線に加えて、このようなアウトソールのソール面が実際に受ける力の方向を考慮することによりなされたものであって、請求項２２の発明では、アウトソールのソール面に設ける複数のスタッドを、着用者の足の第１指末節骨の中央付近に対応する位置に配置された第１のスタッドと、第１指中足趾節関節付近に対応する位置に配置された第２のスタッドと、第４指中足骨の骨頭部付近に対応する位置に配置された第３のスタッドとから構成している。
【００３１】
また、請求項２３の発明では、第１ないし第３のスタッドに加えて、第３指末節骨に対応する位置に配置された第４のスタッドを有しており、さらに、請求項２４の発明では、第１ないし第４のスタッドに加えて、第２指および第３指中足骨の各骨頭付近に対応する位置に配置された第５のスタッドを有している。
【００３２】
すなわち、第１ないし第５の各スタッドは、図３および図４の足圧分布において相対的に足圧が高い位置に対応して配置されるとともに、図１６ないし図１８に示す力の作用方向分布において接地面からの力を効果的に受け得るような位置に配置されている。
【００３３】
請求項２５の発明では、各スタッドが概略直線状に延びるまたはわずかに凹状に湾曲する受圧面を有しており、該受圧面がシューズ前後方向の中心線に対してなす角度が、時計回りを正にとるとき、第１のスタッドについては０〜６０°の範囲にあって受圧面がシューズ後方側に対向しており（図２２参照）、第２のスタッドについては０〜−４５°の範囲にあって受圧面がシューズ前方側に対向している（図２３参照）。これにより、とくにインステップキックの際に、接地面からの力を受ける受圧面を十分に確保することができ（図１９参照）、その結果、接地面との間での滑りの発生を防止できる。
【００３４】
また、第３のスタッドについては０〜−４５°の範囲にあって受圧面がシューズ後方側に対向しており（図２４参照）、第４のスタッドについては０〜−６０°の範囲にあって受圧面がシューズ後方側に対向している（図２５参照）。これにより、とくにフェイントの際に、接地面からの力を受ける各スタッドの受圧面を十分に確保することができ（図２０参照）、その結果、各スタッドが接地面との間で滑りを起こすのを防止できる。
【００３５】
さらに、第５のスタッドについては−６０〜−１２０°の範囲にあって受圧面がシューズ後方側に配置されている（図２６参照）。これにより、とくにインフロントキックの際に、接地面からの力を受ける受圧面を十分に確保することができ（図２１参照）、その結果、接地面との間での滑りの発生を防止できる。
【００３６】
請求項２６の発明によれば、スタッドが概略三角形状、矩形状またはブレード状の横断面を有している。
【００３７】
請求項２７の発明では、アウトソールのソール面に設ける複数のスタッドを、着用者の足の第１指末節骨の中央付近に対応する位置に配置された第１のスタッドと、第１指中足趾節関節付近に対応する位置に配置された第２のスタッドと、第４指中足骨の骨頭部付近に対応する位置に配置された第３のスタッドと、第３指末節骨に対応する位置に配置された第４のスタッドと、第２指および第３指中足骨の各骨頭付近に対応する位置に配置された第５のスタッドとから構成しており、さらにスタッドが、ブレード形状または概略楕円形状の一部を切断した形状の横断面を有しており、その切断形状面がシューズの前側または後ろ側に配向されている。
【００３８】
この場合には、接地面からの力を効果的に受け得る、相対的に足圧が高い位置に各スタッドを配置できるばかりでなく、スタッドに形成された切断形状面によって、切断形状面が前側に配向している場合には、該切断形状面がストッパ機能を発揮でき、また切断形状面が後ろ側に配向している場合には、該切断形状面がダッシュ時の受圧面として効果的にトラクション機能を発揮することができる。
【００３９】
請求項２８の発明では、各スタッドが概略楕円状の横断面を有するとともに、その長軸がシューズ前後方向の中心線に対してなす角度が、時計回りを正にとるとき、第１のスタッドについては０〜６０°の範囲にあり、第２のスタッドについては０〜−４５°の範囲にある。これにより、請求項２５の発明の場合と同様に、とくにインステップキックの際に、接地面からの力を受ける受圧面を十分に確保でき、接地面との間で滑りが発生するのを防止できる。
【００４０】
また、第３のスタッドについては０〜−４５°の範囲にあり、第４のスタッドについては０〜−６０°の範囲にある。これにより、請求項２５の発明の場合と同様に、とくにフェイントの際に、接地面から力を受ける各スタッドの受圧面を十分に確保でき、各スタッドが接地面との間で滑りを起こすのを防止できる。
【００４１】
さらに、第５のスタッドについては−６０〜−１２０°の範囲にあり、これにより、請求項２５の発明の場合と同様に、とくにインフロントキックの際に、接地面からの力を受ける受圧面を十分に確保でき、接地面との間での滑りの発生を防止できる。
【００４２】
請求項２９の発明では、着用者の足の第５指中足骨に対応する位置に配置された第１のサブスタッドと、第４指基節骨および第５指基節骨の中間付近に対応する位置に配置された第２のサブスタッドとがさらに設けられている。
【００４３】
請求項３０の発明では、第１および第２のサブスタッドに加えて、第４指末節骨に対応する位置に配置された第３のサブスタッドがさらに設けられている。
【００４４】
請求項３１の発明では、第１および第２のサブスタッドに加えて、第２指および第３指基節骨の中間付近に対応する位置に配置された第４のサブスタッドがさらに設けられている。
【００４５】
請求項３２の発明では、第１ないし第３のサブスタッドに加えて、第２指および第３指基節骨の中間付近に対応する位置に配置された第４のサブスタッドがさらに設けられている。
【００４６】
請求項３３の発明では、各サブスタッドが、概略直線状に延びるまたはわずかに凹状に湾曲する受圧面を有しており、該受圧面がシューズ前後方向の中心線に対してなす角度が、時計回りを正にとるとき、第１のサブスタッドについては、０〜４５°の範囲にあって受圧面がシューズ後方側に配置されている（図２７参照）。これにより、とくにインステップキックの際に、第１および第２のスタッドの他に受圧面を確保でき、接地面との間での滑りの発生をより確実に防止できる。
【００４７】
また、第２のサブスタッドについては、−３０〜−９０°の範囲にあって、受圧面がシューズ後方側に配置されており（図２８参照）、第３のサブスタッドについては、−１０〜−４５°の範囲にあって、受圧面がシューズ後方側に配置されており（図２９参照）、第４のサブスタッドについては、−６０〜−１２０°の範囲にあって、受圧面がシューズ後方側に配置されている（図３０参照）。
【００４８】
第２および第３のサブスタッドにより、とくにフェイント時に、第３および第４のスタッドの他に受圧面を確保でき、接地面との間での滑りの発生をより確実に防止できる。また第４のサブスタッドにより、とくにインフロントキックの際に、第５のスタッドの他に受圧面を確保でき、接地面との間での滑りの発生をより確実に防止できる。
【００４９】
請求項３４の発明によれば、サブスタッドが概略三角形状、矩形状またはブレード状の横断面を有している。
【００５０】
請求項３５の発明では、各サブスタッドが概略楕円状の横断面を有するとともに、その長軸がシューズ前後方向の中心線に対してなす角度が、時計回りを正にとるとき、第１のサブスタッドについては０〜４５°の範囲にあり、第２のサブスタッドについては−３０〜−９０°の範囲にあり、第３のサブスタッドについては−１０〜−４５°の範囲にあり、第４のサブスタッドについては−６０〜−１２０°の範囲にある。
【００５１】
これにより、インステップキックの際には、主に第１のサブスタッドにより、接地面からの力を受ける受圧面を第１および第２のスタッドの他に確保することで、接地面との間での滑りの発生をより確実に防止できる。また、フェイントの際には、主に第２および第３のサブスタッドにより、接地面からの力を受ける受圧面を第３および第４のスタッドの他に確保することで、接地面との間での滑りの発生をより確実に防止できる。さらに、インフロントキックの際には、主に第４のサブスタッドにより、接地面からの力を受ける受圧面を第５のスタッドの他に確保することで、接地面との間での滑りの発生より確実に防止できる。
【００５２】
請求項３６の発明では、アウトソールに設ける複数のスタッドのうち、踵部のソール面に設けるスタッドを、踵部の内甲側に配置された第１のスタッドと、踵部の外甲側に配置された第２のスタッドとから構成している。そして、第１および第２のスタッドを結ぶ線が踵部中心線に対して直交しておらず、第１のスタッドが踵部前側に配置されており、または第２のスタッドが踵部後ろ側に配置されている。
【００５３】
この場合、踵部には、第１および第２の二つのスタッドしか設けられていないが、これらのスタッドは、踵部中心線方向にオフセットされており、これにより、踵部の着地安定性が向上している。また、この場合、第１および第２のスタッドの相対的な位置関係について、第１のスタッドが踵部前側にまたは第２のスタッドが踵部後ろ側に配置されているので、外甲側から着地して内甲側に体重が移動していく際の体重移動がスムーズに行われるようになっている。
【００５４】
【発明の実施の形態】
以下、本発明の実施態様を添付図面に基づいて説明する。
図１ないし図３０は、本発明の一実施態様によるサッカーシューズ用アウトソールを示しており、ここでは、左足用のアウトソールを例にとっている。図１はアウトソールの表面図、図２は図１のアウトソールを構成する各部を説明するための図である。
【００５５】
これらの図に示すように、アウトソール１は、着用者の足の踵部分、踏付面、足指、中足部分、土踏まずおよび足指付根部分にそれぞれ対応する踵部Ａ，踏付部Ｂ，指部Ｃ，中足部Ｄ，土踏まず部Ｅおよび指付根部Ｆの６つの部分から構成されている。
【００５６】
ここで、各部分の境界について図１５を用いてより詳細に説明する。
同図に示すように、指部Ｃと指付根部Ｆとの間の第１の境界線Ｙ1 は、第４指中節骨ＭＰ4 の骨頭付近から第３指中節骨ＭＰ3 の骨底付近を通って第２指中節骨ＭＰ2 の骨頭付近まで延びさらに第１指基節骨ＰＰ1 の骨頭付近まで延びており、境界線Ｙ1 はシューズ前方側に向かって概略山形形状に形成されている。
【００５７】
指付根部Ｆと踏付部Ｂとの間の第２の境界線Ｙ2 は、第５指中節骨ＭＰ5 の骨底付近から第４指基節骨ＰＰ4 の骨頭付近を通って第３指基節骨ＰＰ3 の略中央部分まで延びさらに第２指基節骨ＰＰ2 の略中央部分から第１指基節骨の略中央部分まで延びており、第２の境界線Ｙ2 はシューズ前方側に向かって凸状に湾曲して形成されている。
【００５８】
踏付部Ｂと中足部Ｄ，土踏まず部Ｅとの間の第３の境界線Ｙ3 は、第５指中足骨ＭＢ5 の骨底付近から第４指中足骨ＭＢ4 の骨底付近を通ってシューズ前方側に延びるとともに、第２指中足骨ＭＢ2 の略中央部分を通って第１指中足骨ＭＢ1 の略中央部分まで延びている。
【００５９】
中足部Ｄ，土踏まず部Ｅと踵部Ａとの間の第４の境界線Ｙ4 は、概ね横足根関節ＣＪに沿って延びている。中足部Ｄと土踏まず部Ｅとの間の第５の境界線Ｙ5 は、外側楔状骨ＣＯを通ってシューズ長手方向に延びている、
【００６０】
アウトソール１の各部の厚みについては、本実施態様の場合、踵部Ａの厚みがｔA ＝３．３（ｍｍ）、踏付部Ｂの厚みがｔB ＝２．８（ｍｍ）、指部Ｃの厚みがｔC ＝２．３（ｍｍ）であって、土踏まず部Ｅおよび指付根部Ｆの厚みはいずれもｔE ，ｔF ＝１．７（ｍｍ）になっている。また、中足部Ｄの厚みｔD は、ｔC とｔE ，ｔF との間の中間の値になっている。これにより、各部の剛性（曲げ剛性）に関して、（踵部Ａ）＞（踏付部Ｂ）＞（指部Ｃ）＞（中足部Ｄ）＞（土踏まず部Ｅ），（指付根部Ｆ）となるように構成されている。なお、本発明によるアウトソールの各部の厚みが上記数値に限定されないことはいうまでもない。
【００６１】
また図示していないが、中足部Ｄに、シューズの概略前後方向に延びる一本または複数本のリブを設けるようにしてもよく、このリブにより、中足部Ｄの剛性を土踏まず部Ｅおよび指付根部Ｆの剛性よりもさらに高く設定することが可能である。
【００６２】
このようにアウトソール１の各部分の剛性を変えたのは、図３および図４に示す足圧分布曲線に基づいている。これらの図は、競技中にサッカー選手の軸足に実際に作用する足圧の分布状態の測定結果を示しており、図３はインステップキックの際の足圧分布図であり、図４はフェイント時の足圧分布図である。これらの図から分かるように、インステップキック時またはフェイント時のような動作時には、足の踵部分、踏付面、指部および中足部分の足圧が相対的に高く、足の土踏まずおよび指付根部分の足圧が相対的に低い。さらに、インステップキック時には、第１指部のみならず、第１指付根部分の足圧も高くなっている。
【００６３】
本実施態様では、このような実際の足圧分布の測定結果を踏まえて、踵部Ａ、踏付部Ｂ、指部Ｃおよび中足部Ｄを相対的に高剛性にして、動作時に相対的に足圧が高くなるこれらの部分を曲がりにくくする一方、土踏まず部Ｅおよび指付根部Ｆを相対的に低剛性にして、動作時に相対的に足圧が低くなるこれらの部分を曲がりやすくしており、動作時に屈曲性が要求されるこれらの部分の屈曲性を向上させている。このようにして、インステップキックやフェイントなどの動作時における実際の足圧分布にしたがった剛性分布にすることができる。
【００６４】
なお、踵部Ａ，踏付部Ｂ，指部Ｃおよび中足部Ｄに、たとえばカーボンファイバ等の補強材を埋設するようにしてもよい。
【００６５】
土踏まず部Ｅおよび指付根部Ｆには、蜂の巣状のハニカム構造１１が設けられている。このハニカム構造１１は、斜視部分図である図５に示すように、正六角形の各辺をなすように帯状のリブを蜂の巣状に敷きつめた構造を有している。このようなリブ構造１１により、屈曲性が要求される土踏まず部Ｅおよび指付根部Ｆが補強されている。
【００６６】
なお、指付根部Ｆの剛性は、６つの部分の中で最も低くなるように構成されている方が好ましい。これは、指付根部Ｆが、アウトソール全体の中で最も屈曲性が要求される部位だからである。
【００６７】
また、指付根部Ｆのうち、第１指付根部にはリブ３０が設けられており、これにより、第１指付根部の剛性を他の指付根部の剛性よりも高くすることができる。
【００６８】
なお、指付根部Ｆのうち、第１指付根部の厚みを残りの第２指ないし第５指付根部の厚みよりも厚くするようにしてもよく、これによっても、第１指付根部の剛性を他の指付根部の剛性よりも高くすることができる。
【００６９】
踵部Ａには、踵部前側の内外甲側にそれぞれ配置された第１，第２のスタッド２０，２１と、踵部後ろ側の内外甲側にそれぞれ配置された第３，第４のスタッド２２，２３とが設けられている。前側のスタッド２０，２１は、幅方向に延びるリブ２４により連結されており、同様に、後ろ側のスタッド２２，２３は、幅方向に延びるリブ２５により連結されている（図１のVI-VI 線断面を示す図６参照）。これらのリブにより、スタッドの強度を向上でき、踵部Ａの剛性を向上できる。また、図６に示すように、アウトソール１の踵部Ａには、アウトソール裏側に延びる巻上げ部２０ｂが一体的に形成されており、この巻上げ部２０ｂにより、アッパー部材（図示せず）との接着しろ２０ｃが確保されている。これによって、後述する緩衝構造体５０をより大きな面積で使用できるようになる。
【００７０】
踏付部Ｂおよび指部Ｃには、スタッド（メインスタッド）３１，３２，３３，３４，３５が設けられており、スタッド３１，３４の基端部には、厚肉部３６が形成されている（図１のVII-VII 線断面を示す図７参照）。この厚肉部３６により、指部Ｃの剛性がさらに向上している。同様に、スタッド３２，３３，３５の基端部には、厚肉部３７が形成されており、この厚肉部３７により、踏付部Ｂの剛性がさらに向上している。また、踏付部Ｂおよび指部Ｃには、メインスタッドよりも小形のサブスタッド４１，４２，４３，４４が設けられている。なお、各スタッドの形状、配置および配設方向については後述する。
【００７１】
踏付部Ｂには、シューズの概略前後方向に延びる複数の縦溝１２が形成されている（図１のVIII-VIII 線断面を示す図８参照）。これらの縦溝１２により、踏付部Ｂの幅方向の屈曲性を向上できる。
【００７２】
また縦溝１２は、図９に示すような体重負荷経路に基づいて設定されている。図９は、インステップキックの際に、アウトソールのソール面の接地開始時から全面接地時に至るまでの着用者の軸足への体重負荷経路の変化を示している。図１を参照することによって分かるように、縦溝１２は、踏付部Ｂにおける体重負荷経路に概ね沿うように形成されている。これにより、足の実際の体重負荷経路にしたがって踏付部を幅方向に屈曲させることができる。
【００７３】
アウトソール裏面図である図１０に示すように、アウトソール１の踏付部Ｂの裏面側には、シューズの概略幅方向に延びる複数の横溝１３が形成されている。これらの横溝１３は、着用者の足の概ね第３指〜第５指中足骨領域に対応して配置されている。これらの横溝１３により、踏付部Ｂのシューズ前後方向の屈曲性を向上できる。
【００７４】
また横溝１３は、図１１に示すような体重負荷経路に基づいて設定されている。図１１は、インステップキックの際に、アウトソールのソール面が全面接地した状態から地面から離れる直前までの間の着用者の足への体重負荷経路の変化を示している。図１０を参照することによって分かるように、横溝１３は、踏付部Ｂにおける体重負荷経路に概ね沿うように形成されている。これにより、足の実際の体重負荷経路にしたがって踏付部を前後方向に屈曲させることができる。なお、横溝１３は、アウトソール１の表面つまりソール面の側に形成するようにしてもよい。
【００７５】
図１０に示すように、アウトソール１の踵部Ａの裏面側には、緩衝構造体５０が設けられている。緩衝構造体５０は、斜視部分図である図１２に示すように、シューズ前後方向に帯状に延びる複数の波形プレート５１，５２を互いに並設することにより構成されており、隣り合う各波形プレート５１，５２の波形状の位相は１／２波長ずれている。また、各波形プレート５１，５２は、連結部５３により互いに連結されている。
【００７６】
この場合には、競技時において着地の際にシューズの踵部Ａに衝撃荷重が作用したとき、各波形プレート５１，５２の波形状の山の部分が下方に沈み込むように変形するとともに、波形状の谷の部分が上方に持ち上がるように変形することによって、踵部Ａに作用する衝撃荷重を吸収できる。また、隣り合う各波形プレート５１，５２の連結部分５３が各波形状部分の変形を抑制することにより、各波形状部分の変形と相俟って衝撃荷重をより効果的に吸収できる。
【００７７】
アウトソール１の踵部Ａの裏面側には、アウトソール裏面側の踵部分拡大図である図１３およびそのXIV-XIV 線断面図である図１４に示すように、緩衝構造体５０を収容するための凹部１５が形成されている。また、踵部Ａの中央部分には、透明樹脂製の窓部１８が形成されており、この窓部１８を介して、踵部Ａの表面側つまりソール面側から緩衝構造体５０が見えるようになっている。
【００７８】
次に、踏付部Ｂおよび指部Ｃに設けられた上述の各スタッドについて詳述する。図１５はアウトソールの表面図であって、各スタッドの位置と足の骨格図とを対応させた状態を示している。同図において、ＤＰ，ＭＰ，ＰＰ，ＭＢ，ＭＪはそれぞれ足の末節骨、中節骨、基節骨、中足骨、中足趾節関節を示しており、添字の１〜５はそれぞれ足の第１指ないし第５指を表している。
【００７９】
図１５から分かるように、第１のスタッド３１は、着用者の足の第１指末節骨ＤＰ1 の中央付近に対応して配置され、第２のスタッド３２は、第１指中足趾節関節ＭＪ1 の付近に対応して配置され、第３のスタッド３３は、第４指中足骨ＭＢ4 の骨頭部付近に対応して配置され、第４のスタッド３４は、第３指末節骨ＤＰ3 に対応して配置され、第５のスタッド３５は、第２指および第３指中足骨ＭＢ2 およびＭＢ3 の各骨頭部に対応して配置されている。
【００８０】
また、これら第１ないし第５のスタッド（メインスタッド）に加えて、第１ないし第４のサブスタッドが設けられている。第１のサブスタッド４１は、着用者の足の第５指中足骨ＭＢ5 に対応して配置され、第２のサブスタッド４２は、第４指基節骨ＰＰ4 および第５指基節骨ＰＰ5 の中間位置に対応して配置され、第３のサブスタッド４３は、第４指末節骨ＤＰ4 に対応して配置され、第４のサブスタッド４４は、第２指および第３指基節骨ＰＰ2 およびＰＰ3 の中間付近に対応して配置されている。
【００８１】
このような各スタッドの配置に関しては、図３および図４の足圧分布図に基づいて、足圧の高い部位に各スタッドがバランスよく配置されるようにした。また、各スタッドの横断面形状については、第１ないし第４のスタッド３１〜３４のように、弧状に延びるブレード形状の一部を切断した形状または概略三角形状のほかに、第５のスタッド３５のような楕円状でもよく、あるいは概略矩形状の断面形状にしてもよい。また各スタッドの縦断面形状については、いわゆるグランドに対する食い付きを良くするために、先端側に向かうにしたがい徐々に小形となるテーパ形状が好ましい（図７参照）。
【００８２】
また、第１ないし第４のスタッド３１〜３４は、その横断面形状に関してブレード形状の一部を切断した形状にしたことにより、それぞれ平坦状の受圧面３１ａ〜３４ａを有している。第１、第２および第４のスタッド３１，３２および３４の場合には、各受圧面３１ａ，３２ａ，３４ａをシューズ後ろ側に配置しており、これにより、蹴り出し時やダッシュ時に各受圧面がトラクション機能を発揮することによって、シューズの滑りを防止している。また、第３のスタッド３３の場合には、受圧面３ａをシューズ前側に配置しており、これにより、着地時またはストップ時に受圧面３ａがストッパ機能を発揮することによって、シューズの滑りを防止している。
【００８３】
次に、各スタッドの配設方向に関しては、図１６ないし図１８に示す、接地面からの力の作用方向分布図に基づいて、サッカー選手の軸足に接地面から実際に作用する力を効果的に受け得るような方向に配置した。図１６はインステップキックの際の接地面からの力の作用方向を、図１７はフェイント時の接地面からの力の作用方向を、図１８はインフロントキックの際の接地面からの力の作用方向をそれぞれ示している。
【００８４】
第１のスタッド３１は、図２２に示すように、わずかに凹状に湾曲するまたは概略直線状に延びる受圧面３１ｂを有している。受圧面３１ｂはシューズ後方側に対向しており、受圧面３１ｂがシューズ前後方向の中心線Ｎに対してなす角度αは、時計回りを正にとるとき、０〜６０°の範囲にあって、好ましくは３０°前後に設定されている。
【００８５】
これにより、図１９に示すように、とくにインステップキックの際に、受圧面３１ｂが接地面からの力の作用方向とほぼ直交することになって、接地面からの力の作用面を十分に確保することができ、その結果、接地面との間で滑りが発生するのを防止できる。
【００８６】
第２のスタッド３２は、図２３に示すように、わずかに凹状に湾曲するまたは概略直線状に延びる受圧面３２ｂを有している。受圧面３２ｂはシューズ前方側と対向しており、受圧面３２ｂがシューズ前後方向の中心線Ｎに対してなす角度βは、０〜−４５°の範囲にあって、好ましくは−２０°前後に設定されている。
【００８７】
これにより、図１９に示すように、とくにインステップキックの際に、受圧面３２ｂが接地面からの力の作用方向とほぼ対向することになって、接地面からの力の作用面を十分に確保することができ、その結果、接地面との間で滑りが発生するのを防止できる。
【００８８】
第３のスタッド３３は、図２４に示すように、わずかに凹状に湾曲するまたは概略直線状に延びる受圧面３３ｂを有している。受圧面３３ｂはシューズ後方側と対向しており、受圧面３３ｂがシューズ前後方向の中心線Ｎに対してなす角度γは、０〜−４５°の範囲にあって、好ましくは−２０°前後に設定されている。
【００８９】
これにより、図２０に示すように、とくにフェイント時に、受圧面３３ｂが接地面からの力の作用方向と直交することになって、接地面からの力の作用面を十分に確保することができ、その結果、接地面との間で滑りが発生するのを防止できる。
【００９０】
第４のスタッド３４は、図２５に示すように、わずかに凹状に湾曲するまたは概略直線状に延びる受圧面３４ｂを有している。受圧面３４ｂはシューズ後方側と対向しており、受圧面３４ｂがシューズ前後方向の中心線Ｎに対してなす角度δは、０〜−６０°の範囲にあって、好ましくは−４０°前後に設定されている。
【００９１】
これにより、図２０に示すように、とくにフェイント時に、受圧面３４ｂが接地面からの力の作用方向とほぼ対向することになって、接地面からの力の作用面を十分に確保することができ、その結果、接地面との間で滑りが発生するのを防止できる。
【００９２】
第５のスタッド３５は、図２６に示すように、概略楕円形状を有しており、その凸状曲面である外周面３５ｂが受圧面を構成している。この楕円形状の長軸がシューズ前後方向の中心線Ｎに対してなす角度εは、−６０〜−１２０°の範囲にあって、好ましくは−８０°前後に設定されている。
【００９３】
これにより、図２１に示すように、とくにインフロントキックの際に、受圧面３５ｂが接地面からの力の作用方向と対向することになって、接地面からの力の作用面を十分に確保することができ、その結果、接地面との間で滑りが発生するのを防止できる。
【００９４】
次に、サブスタッド４１〜４４の配設方向についても、スタッド３１〜３５の場合と同様に、図１６ないし図１８に示す接地面からの力の作用方向分布図に基づいて、サッカー選手の軸足に接地面から実際に作用する力を効果的に受け得るような方向に配置した。
【００９５】
第１のサブスタッド４１は、図２７に示すように、概略楕円形状を有しており、その凸状曲面である外周面４１ｂが受圧面を構成している。この楕円形状の長軸がシューズ前後方向の中心線Ｎに対してなす角度α′は、時計回りを正にとるとき、０〜４５°の範囲にあって、好ましくは４０°前後に設定されている。
【００９６】
これにより、とくにインステップキックの際に、第１および第２のスタッド３１，３２の他に受圧面を確保することができ、接地面との間での滑りの発生をより確実に防止できるようになる。
【００９７】
第２のサブスタッド４２は、図２８に示すように、概略楕円形状を有しており、その凸状曲面である外周面４２ｂが受圧面を構成している。この楕円形状の長軸がシューズ前後方向の中心線Ｎに対してなす角度β′は、−３０〜−９０°の範囲にあって、好ましくは−４５°前後に設定されている。
【００９８】
第３のサブスタッド４３は、図２９に示すように、第１ないし第４のスタッド３１〜３４と同様の、ブレード形状の一部を切断した横断面形状を有しており、わずかに凹状に湾曲するまたは概略直線状に延びる受圧面４３ｂを有している。受圧面４３ｂはシューズ後方側と対向しており、受圧面４３ｂがシューズ前後方向の中心線Ｎに対してなす角度γ′は、−１０〜−４５°の範囲にあって、好ましくは−３０°前後に設定されている。
【００９９】
これら第２および第３のサブスタッド４２，４３により、とくにフェイント時に、第３および第４のスタッド３３，３４の他に受圧面を確保でき、接地面との間での滑りの発生をより確実に防止できるようになる。また、第３のサブスタッド４３は、シューズ前側に平坦状の受圧面４３ａを有しており、該受圧面４３ａにより、第３のスタッド３３によるストッパ機能と相俟って、着地時またはストップ時に一層のストッパ機能が発揮されるようになっている。
【０１００】
第４のサブスタッド４４は、図３０に示すように、概略楕円形状を有しており、その凸状曲面である外周面４４ｂが受圧面を構成している。この楕円形状の長軸がシューズ前後方向の中心線Ｎに対してなす角度δ′は、−６０〜−１２０°の範囲にあって、好ましくは−８０°前後に設定されている。
【０１０１】
これにより、とくにインフロントキックの際に、第５のスタッド３５の他に受圧面を確保でき、接地面との間での滑りの発生をより確実に防止できるようになる。
【０１０２】
〔第１の変形例〕
図３１は、本発明の第１の変形例によるサッカーシューズ用アウトソールを示しており、同図において、図１と同一符号は同一または相当部分を示している。この第１の変形例では、前記実施態様において幅方向に延びるリブ２４，２５と異なり、曲線状に延びる複数本のリブ２６が設けられている。これらのリブ２６は、主にインステップキックの際の足圧分布（図３参照）に概ね沿って形成されている。これにより、アウトソールの剛性を足圧分布に従った剛性分布にすることができ、その結果、着地がスムーズに行えるようになる。
【０１０３】
〔第２の変形例〕
図３２は、本発明の第２の変形例によるサッカーシューズ用アウトソールを示しており、同図において、図１と同一符号は同一または相当部分を示している。この第２の変形例は、ジュニア向シューズを示している。図３２に示すように、このアウトソールは、前記実施態様と同様に剛性を異ならせた複数の部分から構成されるとともに、ソール面には、前記実施態様と同様のスタッド２０〜２３および３１〜３５が設けられている。さらに、ソール面には、前記実施態様によるサブスタッドの代わりに、多数の円形突起４５が設けられている。
【０１０４】
〔第３の変形例〕
図３３は、本発明の第３の変形例によるサッカーシューズ用アウトソールを示しており、同図において、図１と同一符号は同一または相当部分を示している。この第３の変形例では、前記実施態様と同様に、アウトソールが剛性の異なる複数の部分から構成されており、前記実施態様における各スタッド２０〜２３および３１〜３５とほぼ同じ位置にスタッド２０′〜２３′および３１′〜３５′が設けられているが、これらのスタッドはいずれも円錐台形状を有しており、横断面が円形になっている。また、ソール面には、前記実施態様におけるサブスタッドとは配置が異なるが、複数のサブスタッド４６が設けられている。
【０１０５】
〔第４の変形例〕
図３４および図３５は、本発明の第４の変形例によるサッカーシューズ用アウトソールの踵部におけるスタッド配置を示している。この第４の変形例は、踵部に２個のスタッド２８，２９が設けられるアウトソールを例にとっている。なお、図中、黒丸は、従来のスタッド配置を示している。
【０１０６】
図３４の例では、スタッド２８が従来のスタッド位置よりも踵部前側に配置されており、スタッド２９が従来のスタッド位置と一致している。また図３５の例では、スタッド２８が従来のスタッド位置と一致しており、スタッド２９が従来のスタッド位置よりも踵部後ろ側に配置されている。すなわち、いずれの場合も、各スタッド２８，２９を結ぶ線Ｓは踵部中心線Ｎ′に対して直交しておらず、内甲側Ｍのスタッド２８の方が外甲側Ｌのスタッド２９よりも踵部前側に配置されている。
【０１０７】
これにより、踵部の着地安定性が向上するとともに、外甲側Ｌから着地して体重が内甲側Ｍに移動していく際の体重移動がスムーズに行われるようになっている。
【０１０８】
〔他の適用例〕
前記実施態様および各変形例では、サッカーシューズを例にとって説明してきたが、本発明は、サッカーシューズ以外の他のフットボール用シューズにも適用可能である。
【０１０９】
【発明の効果】
以上詳述したように、本発明に係るフットボール用シューズのアウトソール構造によれば、競技時に要求されるアウトソールとしての剛性・強度と屈曲性とを両立させることができる効果がある。また本発明によれば、競技の際の各種運動時に接地面との間で滑りが発生するのを防止できるとともに、足の動きに適合したスタッド構造を実現できる効果がある。
【図面の簡単な説明】
【図１】本発明の一実施態様によるサッカーシューズ用アウトソールの表面図である。
【図２】図１のアウトソールを構成する各部を説明するための図である。
【図３】インステップキックの際に軸足に実際に作用する足圧の各部位における最大値の分布状態を示す足圧分布図である。
【図４】フェイント時に軸足に実際に作用する足圧の各部位における最大値の分布状態を示す足圧分布図である。
【図５】図１のアウトソールにおけるハニカム構造の斜視部分図である。
【図６】図１のVI-VI 線断面図である。
【図７】図１のVII-VII 線断面図である。
【図８】図１のVIII-VIII 線断面図である。
【図９】インステップキックの際の軸足側の体重負荷経路図であって、アウトソールのソール面の接地開始時から全面接地時に至るまでの軸足への体重負荷経路の変化を示している
【図１０】図１のアウトソールの裏面図である。
【図１１】インステップキックの際の軸足側の体重負荷経路図であって、アウトソールのソール面が全面接地した状態から地面から離れる直前までの間の軸足への体重負荷経路の変化を示している。
【図１２】図１のアウトソールの踵部に設けられる緩衝構造体の斜視部分図である。
【図１３】図１のアウトソールの踵部における裏面側の拡大図であって、緩衝構造体を取り除いた状態を示している。
【図１４】図１３のXIV-XIV 線断面図である。
【図１５】本発明の一実施態様によるサッカーシューズ用アウトソールの表面図であって、各スタッドの位置に足の骨格図を対応させた状態を示している。
【図１６】インステップキックの際に接地面からソール面に作用する力の作用方向を示す分布図である。
【図１７】フェイント時に接地面からソール面に作用する力の作用方向を示す分布図である。
【図１８】インフロントキックの際に接地面からソール面に作用する力の作用方向を示す分布図である。
【図１９】インステップキックの際に第１および第２のスタッドが最も効果的に受圧面を形成している状態を説明するための図である。
【図２０】フェイント時に第３および第４のスタッドが最も効果的に受圧面を形成している状態を説明するための図である。
【図２１】インフロントキックの際に第５のスタッドが最も効果的に受圧面を形成している状態を説明するための図である。
【図２２】第１のスタッドの拡大図である。
【図２３】第２のスタッドの拡大図である。
【図２４】第３のスタッドの拡大図である。
【図２５】第４のスタッドの拡大図である。
【図２６】第５のスタッドの拡大図である。
【図２７】第１のサブスタッドの拡大図である。
【図２８】第２のサブスタッドの拡大図である。
【図２９】第３のサブスタッドの拡大図である。
【図３０】第４のサブスタッドの拡大図である。
【図３１】本発明の第１の変形例によるサッカーシューズ用アウトソールの表面図である。
【図３２】本発明の第２の変形例によるサッカーシューズ用アウトソールの表面図である。
【図３３】本発明の第３の変形例によるサッカーシューズ用アウトソールの表面図である。
【図３４】本発明の第４の変形例によるサッカーシューズ用アウトソールの踵部におけるスタッドの配置図である。
【図３５】本発明の第５の変形例によるサッカーシューズ用アウトソールの踵部におけるスタッドの配置図である。
【図３６】従来のサッカーシューズ用アウトソールの表面図であって、本実施態様の図１に相当する図である。
【符号の説明】
１：  アウトソール
１１：  ハニカム構造
１２：  縦溝
１３：  横溝
２０〜２３：  スタッド
２４，２５：  リブ
３１〜３５：  スタッド
３１ａ〜３４ａ：  受圧面
３１ｂ〜３５ｂ：  受圧面
４１〜４４：  サブスタッド
４３ａ：  受圧面
４１ｂ〜４４ｂ：  受圧面
５０：  緩衝構造体
５１，５２：  波形プレート
５３：  連結部
Ａ：  踵部
Ｂ：  踏付部
Ｃ：  指部
Ｄ：  中足部
Ｅ：  土踏まず部
Ｆ：  指付根部
Ｍ：  内甲側
Ｌ：  外甲側
ＤＰ：  末節骨
ＭＰ：  中節骨
ＰＰ：  基節骨
ＭＢ：  中足骨
ＭＪ：  中足趾節関節
ＣＪ：  横足根関節
ＣＯ：  外側楔状骨
【図１】
0003827280.tif 000002
【図２】
0003827280.tif 000003
【図３】
0003827280.tif 000004
【図４】
0003827280.tif 000005
【図５】
0003827280.tif 000006
【図６】
0003827280.tif 000007
【図７】
0003827280.tif 000008
【図８】
0003827280.tif 000009
【図９】
0003827280.tif 000010
【図１０】
0003827280.tif 000011
【図１１】
0003827280.tif 000012
【図１２】
0003827280.tif 000013
【図１３】
0003827280.tif 000014
【図１４】
0003827280.tif 000015
【図１５】
0003827280.tif 000016
【図１６】
0003827280.tif 000017
【図１７】
0003827280.tif 000018
【図１８】
0003827280.tif 000019
【図１９】
0003827280.tif 000020
【図２０】
0003827280.tif 000021
【図２１】
0003827280.tif 000022
【図２２】
0003827280.tif 000023
【図２３】
0003827280.tif 000024
【図２４】
0003827280.tif 000025
【図２５】
0003827280.tif 000026
【図２６】
0003827280.tif 000027
【図２７】
0003827280.tif 000028
【図２８】
0003827280.tif 000029
【図２９】
0003827280.tif 000030
【図３０】
0003827280.tif 000031
【図３１】
0003827280.tif 000032
【図３２】
0003827280.tif 000033
【図３３】
0003827280.tif 000034
【図３４】
0003827280.tif 000035
【図３５】
0003827280.tif 000036
【図３６】
0003827280.tif 000037